(57)【要約】【課題】誤操作をより防止することができる情報処理装置を提供する。【解決手段】情報処理装置１０は、予め定めた位置に第一の選択画像３４を表示するタッチパネルディスプレイ１６と、第一の選択画像３４の選択が受け付けられると、タッチパネルディスプレイ１６において第一の選択画像３４とは異なる位置に第二の選択画像４４を表示させる表示制御部２２と、第二の選択画像４４の選択が受け付けられると、予め定めた処理Ａを実行する処理部２０とを備えている。第一及び第二の選択画像３４，４４を同時に表示させるのではなく、第一の選択画像３４を表示後、その選択が受け付けられた場合に第二の選択画像４４を表示させるようにしているため、選択にあたり、第二の選択画像４４の表示を待つ必要があり、これにより、第二の選択画像４４に対する使用者Ｍの操作意識を高めることができる。【選択図】図６
2011191927.tif 000002
【特許請求の範囲】
【請求項１】
予め定めた位置に第一の選択画像を表示するタッチパネルディスプレイと、
前記第一の選択画像の選択が受け付けられると、前記タッチパネルディスプレイにおいて前記第一の選択画像とは異なる位置に第二の選択画像を表示させる制御手段と、
前記第二の選択画像の選択が受け付けられると、予め定めた処理を実行する処理手段と、
を備えることを特徴とする情報処理装置。
【請求項２】
前記処理手段は、前記第一の選択画像の選択状態を維持しつつ前記第二の選択画像の選択が受け付けられた場合に、前記予め定めた処理を実行することを特徴とする請求項１に記載の情報処理装置。
【請求項３】
前記制御手段は、前記予め定めた処理が実行される度に、前記第一及び第二の選択画像の配置箇所を変更することを特徴とする請求項１又は２に記載の情報処理装置。
【請求項４】
前記制御手段は、前記予め定めた処理が実行される度に、前記第二の選択画像の表示タイミングを変更することを特徴とする請求項１〜３の何れか一項に記載の情報処理装置。
【請求項５】
タッチパネルディスプレイにおいて、予め定めた位置に第一の選択画像を表示するステップと、
前記第一の選択画像の選択が受け付けられると、前記タッチパネルディスプレイにおいて前記第一の選択画像とは異なる位置に第二の選択画像を表示させるステップと、
前記第二の選択画像の選択が受け付けられると、予め定めた処理を実行するステップと、
を備えることを特徴とする処理実行方法。
【発明の詳細な説明】
【技術分野】
【０００１】
本発明は、情報処理装置及び処理実行方法に関する。
【背景技術】
【０００２】
タッチパネルが表示画面上に配設された携帯電話等の情報処理装置が広く知られている。このようなタッチパネル付きの携帯電話では、タッチパネルを介して各種の操作入力を行えるようになっており、データの消去や個人情報の送信といった重要な操作も表示画面上に表示された選択画像に対してタッチパネルを介した選択入力を行うことにより、実行できるようになっている。ところで、タッチパネル付きの携帯電話では、使用者の見ているタッチパネル上の箇所と実際に押し下げしたと認識される箇所との間に差分が生じてしまうことがあり、例えばデータの消去を希望していないのに、データの消去を間違って入力してしまう恐れがあった。このように重要な操作を間違えないようにするため、例えば、特許文献１に記載の技術では、所定の重要な操作を行う場合には、複数のボタンを同時に押し下げした場合にのみ、重要な操作処理が実行されるようになっている。
【先行技術文献】
【特許文献】
【０００３】
【特許文献１】特開２００５−１０２３２７号公報
【発明の概要】
【発明が解決しようとする課題】
【０００４】
ところで、上述したように複数のボタンを同時に押し下げする技術では、一つの入力ボタンを押して重要な操作を実行する場合に比べて、確かに使用開始当初は使用者の意識を高めて誤操作の防止に役立つものの、使用者がそのような同時押しの操作入力に慣れてしまうと、ボタンの位置が同じことから、意識せずに同時押しをできるようになってしまい、誤操作の防止といった観点からは必ずしも十分とはいえないものであった。
【０００５】
そこで、本発明は、誤操作をより防止することができる情報処理装置及び処理実行方法を提供することを目的とする。
【課題を解決するための手段】
【０００６】
上記の課題を解決するために、本発明に係る情報処理装置は、予め定めた位置に第一の選択画像を表示するタッチパネルディスプレイと、第一の選択画像の選択が受け付けられると、タッチパネルディスプレイにおいて第一の選択画像とは異なる位置に第二の選択画像を表示させる制御手段と、第二の選択画像の選択が受け付けられると、予め定めた処理を実行する処理手段とを備えることを特徴としている。
【０００７】
また、上記課題を解決するために、本発明に係る処理実行方法は、タッチパネルディスプレイにおいて予め定めた位置に第一の選択画像を表示するステップと、第一の選択画像の選択が受け付けられると、タッチパネルディスプレイにおいて第一の選択画像とは異なる位置に第二の選択画像を表示させるステップと、第二の選択画像の選択が受け付けられると、予め定めた処理を実行するステップとを備えることを特徴としている。
【０００８】
この情報処理装置又は処理実行方法によれば、第一の選択画像の選択が受け付けられると、第一の選択画像とは異なる位置に第二の選択画像を表示させ、この第二の選択画像の選択が受け付けられた場合にはじめて、予め定めた処理を実行するようになっている。この場合、第一及び第二の選択画像を同時に表示させるのではなく、第一の選択画像を表示後、その選択が受け付けられた場合に第二の選択画像を表示させるようにしているため、選択にあたり、第二の選択画像の表示を待つ必要があり、これにより、第二の選択画像に対する使用者の操作意識を高めることができる。このように操作意識を高めることにより、使用者による誤操作を防止できる。
【０００９】
上記情報処理装置において、処理手段は、第一の選択画像の選択状態を維持しつつ第二の選択画像の選択が受け付けられた場合に、予め定めた処理を実行するようにしてもよい。この場合、使用者は、第一の選択画像の選択維持を行いつつ、更に、第二の選択画像の選択を行わなければならないため、操作意識を一層高める必要があり、これにより、使用者による誤操作を一層防止することができる。
【００１０】
上記情報処理装置において、制御手段は、予め定めた処理が実行される度に、第一及び第二の選択画像の配置箇所を変更するようにしてもよい。この場合、使用者は、第一の選択画像の選択を行った後、ランダムに配置される第二の選択画像の表示箇所を探さなければならないため、操作意識を更に高めなければならず、これにより、使用者による誤操作を一層防止できる。しかも、上記情報処理装置は、タッチパネルディスプレイを含んで構成されているから、誤操作の防止に役立つランダムな配置を比較的、簡単な処理で実現することができる。
【００１１】
上記情報処理装置において、制御手段は、予め定めた処理が実行される度に、第二の選択画像の表示タイミングを変更するようにしてもよい。表示タイミングが同じであると無意識にタッチパネルディスプレイを連打して選択処理の操作をつい間違えて行ってしまう恐れがあるが、このように表示タイミングを処理毎に変更することにより、使用者が操作タイミングについて慣れることができず、使用者による誤操作を一層防止することが可能である。しかも、上記情報処理装置は、タッチパネルディスプレイを含んで構成されているから、誤操作の防止に役立つ表示タイミングの変更を比較的、簡単な処理で実現することができる。
【発明の効果】
【００１２】
本発明によれば、誤操作を防止することができる。
【図面の簡単な説明】
【００１３】
【図１】本実施形態に係る情報処理装置の一例を示す斜視図である。
【図２】本実施形態に係る情報処理装置のハードウェア構成を示す図である。
【図３】本実施形態に係る情報処理装置の機能構成を示すブロック図である。
【図４】情報処理装置における選択画像の表示例を示す図である。
【図５】情報処理を実行する際の動作を示すフローチャートである。
【図６】情報処理装置における選択画像の遷移図である。
【図７】情報処理装置における選択画像の別の表示例を示す図である。
【図８】情報処理装置における選択画像の更に別の表示例を示す図である。
【図９】情報処理装置における選択画像の別の遷移図である。
【発明を実施するための形態】
【００１４】
以下、図面を参照して、本発明に係る好適な実施形態について詳細に説明する。なお、図面の説明において、可能な場合には、同一要素には同一符号を付し、重複する説明を省略する。
【００１５】
本実施形態に係る情報処理装置１０は、使用者Ｍによって使用される装置であり、例えば、図１に示されるように、液晶ディスプレイ等から構成される表示画面１２上にタッチパネル１４が配設されたタッチパネルディスプレイ１６を含んで構成される携帯電話である。表示画面１２には、情報処理装置１０による表示制御により、各種の文字情報や画像情報が表示される。タッチパネル１４は、この表示画面１２の略全面を覆おうように配置される。タッチパネル１４は、表示画面１２上に配置された際に表示画面１２に表示される各種の情報が視認できる程度の透明度を少なくとも有しており、検出方式として、抵抗膜方式、表面弾性波方式や静電容量方式などが適宜、選択され得るものである。
【００１６】
情報処理装置１０は、表示画面１２に所定の操作に関する操作情報を表示させた場合、その操作情報の表示箇所に対応するタッチパネル１４上の対応箇所への入力を検出することで、かかる操作が実行できるように、表示画面１２への表示指示信号とタッチパネル１４からの出力信号とを互いに対応させるようになっている。このようなタッチパネルディスプレイ１６自体は公知であるため、その詳細な説明は省略する。なお、情報処理装置１０は、表示画面１２上にタッチパネル１４が配設された装置であればよく、携帯電話に限らず、タッチパネル型のパーソナルコンピュータやタッチパネル型の音楽プレーヤーなどであってもよい。
【００１７】
このような情報処理装置１０は、図２に示されるように、物理的には、ＣＰＵ１０ａ、ＲＡＭ１０ｂ、ＲＯＭ１０ｃ、入力装置１０ｄ、出力装置１０ｅ、通信装置１０ｆ及び記録装置１０ｇを備えており、これらはバス１０ｈに接続されている。ＣＰＵ１０ａは、ＲＯＭ１０ｃや記録装置１０ｇ等の内蔵メモリに格納された所定のコンピュータソフトウェア（図５に示す情報処理装置１０の行う処理を実行するためのコンピュータプログラム等を含む）をＲＡＭ１０ｂにロードして実行することにより、情報処理装置１０を統括的に制御する。
【００１８】
入力装置１０ｄは、タッチパネル等からなる入力用デバイスであり、入力されたデータをＣＰＵ１０ａに出力する。出力装置１０ｅは、ＬＣＤ等の表示装置やスピーカ等の音声出力装置であり、ＣＰＵ１０ａから入力された文字情報等を表示画面１２等に表示する。通信装置１０ｆは、通信網等を介して他の情報処理装置（携帯電話など）との間で通話や通信を行うためのインターフェイスを有する。記録装置１０ｇは、ＣＰＵ１０ａの実行可能なコンピュータソフトウェアを格納する。後述する各機能は、ＣＰＵ１０ａがＲＯＭ１０ｃや記録装置１０ｇ等に格納されたコンピュータソフトウェアを実行し、図２に示す情報処理装置１０の各構成部を動作させることにより実現される機能である。
【００１９】
続いて、図３を参照して、情報処理装置１０の機能構成について説明する。情報処理装置１０、機能的には、タッチパネルディスプレイ１６、検出部１８、処理部２０（処理手段）、表示制御部２２（制御手段）及び配置データベース２４（以下「配置ＤＢ」と記す）を備えている。
【００２０】
タッチパネルディスプレイ１６は、ＬＣＤ等の表示画面１２とタッチパネル１４とを含んで構成される。表示画面１２には、後述する選択画像などの各種情報が表示制御部２２の制御に基づいて表示される。タッチパネル１４は、使用者Ｍの指等によって入力操作が行われた場合、その入力操作に伴って発生する出力信号を検出部１８に出力する。
【００２１】
検出部１８は、タッチパネル１４に対して使用者Ｍが入力操作を行った際、その入力に伴って発生する出力信号をタッチパネル１４から受信し、その受信した出力信号に基づいて、タッチパネル１４上の何れの箇所（すなわち座標ＸＹ）に使用者Ｍが入力操作を行ったかについて、その位置情報を検出する。検出部１８は、タッチパネル１４の座標と表示画面１２の座標とを対応づける機能を備えており、表示画面１２上に表示されている情報のうち何れの情報が使用者Ｍによって選択入力されたかを特定することができる。そして、検出部１８は、何れの情報が選択されたかを示す特定情報を生成し、生成された特定情報を処理部２０に出力する。
【００２２】
処理部２０は、情報処理Ａ等の各種情報処理を実行する部分である。情報処理Ａとしては、例えば、情報処理装置１０の格納部に格納されている画像データの全てのデータを消去する処理（一括消去処理）や個人情報を他の人に送信する処理といったような重要度の高い処理がある。但し、これらの処理に限られない。処理部２０は、情報処理Ａを開始するトリガーとなる信号を、タッチパネルディスプレイ１６等を介して受信すると、後述する選択画像の表示を行う指示信号を表示制御部２２に出力する。そして、処理部２０は、表示画面１２に表示された選択画像に対する使用者Ｍによる実行希望との最終指示を検出部１８が最終的に検出することにより生成される特定情報を受信すると、重要度の高い情報処理Ａを最終的に実行する。
【００２３】
表示制御部２２は、タッチパネルディスプレイ１６の表示画面１２に各種の画像を表示させる。表示制御部２２は、処理部２０から選択画像の表示を行うための指示信号を受信すると、配置データベース（以下「配置ＤＢ」と記す）２４にアクセスし、選択画像用の配置データを取得する。そして、表示制御部２２は、取得した配置データに基づいて、例えば図４に示されるように、情報処理Ａの内容を示す「全データ消去しますか？」といった質問データ部分３２と情報処理Ａを行うか否かを確認するための第一の選択画像３４とを表示画面１２に表示させる。第一の選択画像３４は、情報処理Ａの実行を希望する「Ｙｅｓ」を示す画像領域３４ａと情報処理Ａの実行を希望しない「Ｎｏ」を示す画像領域３４ｂとを含む。なお、当初の表示段階においては、図４に点線で示される第二の選択画像４４は表示されない。後述する図７，図８でも同様である。
【００２４】
また、表示制御部２２は、第一の選択画像３４を表示画面１２に表示させた後、所定の条件を満たすと（詳細については後述する）、図４の点線で示されるように、表示画面１２のうち第一の選択画像３４とは異なる位置に第二の選択画像４４を表示させる。第二の選択画像４４は、第一の選択画像３４と同様、情報処理Ａを行うか否かを示す画像であり、情報処理Ａの実行を希望する「Ｙｅｓ」を示す画像領域４４ａと情報処理Ａの実行を希望しない「Ｎｏ」を示す画像領域４４ｂとを含む。第二の選択画像４４は、情報処理Ａを実行するか否かを使用者Ｍに対して最終的に判断させるための選択画像である。タッチパネル１４上には、表示画面１２における画像領域３４ａ，３４ｂ，４４ａ，４４ｂそれぞれに対応する対応領域５４ａ，５４ｂ，６４ａ，６４ｂがあり、検出部１８によって、当該対応領域５４ａ，５４ｂ，６４ａ，６４ｂに入力が行われたか否かが検出されるようになっている。
【００２５】
続いて、上述した構成を備えた情報処理装置１０における処理実行方法について、図５及び図６を参照して詳細に説明する。
【００２６】
まず、処理部２０は、情報処理Ａを開始するトリガーとなる信号を、タッチパネルディスプレイ１６等を介して受信すると、情報処理Ａを実行するための選択メニューを開始する（ステップＳ１）。選択メニューが開始されると、まず、処理部２０は、表示制御部２２に選択画像の表示を行う指示信号を出力する。表示制御部２２は、この指示信号を受信すると、配置ＤＢ２４にアクセスし、選択画像の配置情報を取得する（ステップＳ２）。
【００２７】
ステップＳ２で表示制御部２２が配置情報を取得すると、ステップＳ３に進み、表示制御部２２は、情報処理Ａの内容を示す「全データ消去しますか？」といった質問データ部分３２と情報処理Ａを行うか否かを確認するための第一の選択画像３４とを表示画面１２に表示させる（図６（ａ）参照）。第一の選択画像３４は、情報処理Ａの実行を希望する「Ｙｅｓ」を示す画像領域３４ａと情報処理Ａの実行を希望しない「Ｎｏ」を示す画像領域３４ｂとを含む。なお、ステップＳ３の段階では、第二の選択画像４４はまだ表示されていない。
【００２８】
続いて、第一の選択画像３４が表示されると、ステップＳ４に進み、画像領域３４ａ，３４ｂに対応する対応領域５４ａ，５４ｂに対する使用者Ｍ（指）の操作入力を検出部１８によって検出することにより、第一の選択画像３４の「Ｙｅｓ」が押し下げされたか否かを判定する。ステップＳ４で「Ｙｅｓ」が押し下げされたと判定されるまで、表示制御部２２は、第一の選択画像３４を表示させる。なお、第一の選択画像３４へ所定時間、入力がなかった場合に、その表示を終了させるようにしてもよい。
【００２９】
続いて、ステップＳ４で「Ｙｅｓ」が押し下げられたと判定されると、ステップＳ５に進み、表示制御部２２は、情報処理Ａを行うか否かを示す第二の選択画像４４を表示画面１２の内、第一の選択画像３４とは異なる位置に表示させる（図６（ｂ）参照）。第二の選択画像４４は、第一及び第二の選択画像３４，４４が一本の指で押し下げできないように、第一の選択画像から離れて配置される。この第二の選択画像４４は、情報処理Ａの実行を希望する「Ｙｅｓ」を示す画像領域４４ａと情報処理Ａの実行を希望しない「Ｎｏ」を示す画像領域４４ｂとを含む。なお、ステップＳ５の段階では、第一の選択画像３４の内、選択されなかった「Ｎｏ」を示す画像領域３４ｂはその表示を終了するようになっている。
【００３０】
続いて、ステップＳ５で第二の選択画像４４の表示が行われると、ステップＳ６に進み、ステップＳ４で判定した第一の選択画像３４の「Ｙｅｓ」の押し下げが続けて行われているか否かを判定する。この判定処理は、画像領域３４ａに対応する対応領域５４ａに対する使用者Ｍ（指）の操作入力が検出部１８によって検出され続けているか否かにより行われる。ステップＳ６で、第一の選択画像３４の「Ｙｅｓ」が押し下げされていないと判定された場合（つまり、対応領域５４ａに対する操作入力が途中から検出されなくなった場合）には、ステップＳ７に進んで第二の選択画像４４の表示を終了し、ステップＳ３に戻る。
【００３１】
一方、ステップＳ６で第一の選択画像３４の「Ｙｅｓ」が押し下げされ続けていると判定された場合には、ステップＳ８に進み、画像領域４４ａ，４４ｂに対応する対応領域６４ａ，６４ｂに対する使用者Ｍ（指）の操作入力を検出部１８によって検出することにより、第二の選択画像４４の「Ｙｅｓ」が押し下げされたか否かを判定する。ステップＳ８で「Ｙｅｓ」が押し下げされたと判定されるまで、表示制御部２２は、第二の選択画像３４を表示させる。なお、第二の選択画像４４の「Ｎｏ」に対応する対応領域６４ｂへの操作入力があった場合には、処理を中止する。
【００３２】
続いて、ステップＳ８で「Ｙｅｓ」が押し下げられたと判定されると（図６（ｃ）参照）、つまり、検出部１８によって第二の選択画像４４の「Ｙｅｓ」に対応する対応領域６４ａへの操作入力が検出されると、ステップＳ９に進み、ここで初めて、処理部２０は、情報処理Ａの実行を開始し、情報処理Ａの実行中、情報処理Ａの内容を示す「全データ削除中」といった表示を行う（図６（ｄ）参照）。以上により、重要度の高い処理である情報処理Ａが誤操作を防止しつつ実行される。
【００３３】
このように、本実施形態によれば、第一の選択画像３４の選択が受け付けられると、第一の選択画像３４とは異なる位置に第二の選択画像４４を表示させ、この第二の選択画像４４の選択が受け付けられた場合にはじめて、予め定めた処理Ａを実行するようになっている。この場合、第一及び第二の選択画像３４，４４を同時に表示させるのではなく、第一の選択画像３４を表示後、その選択が受け付けられた場合に第二の選択画像４４を表示させるようにしているため、選択にあたり、第二の選択画像４４の表示を待つ必要があり、これにより、第二の選択画像４４に対する使用者Ｍの操作意識を高めることができる。このように操作意識を高めることにより、使用者Ｍによる誤操作を防止できる。
【００３４】
また、本実施形態では、処理部２０は、第一の選択画像３４の選択状態を維持しつつ第二の選択画像４４の選択が受け付けられた場合に、予め定めた処理Ａを実行するようになっている。このため、使用者Ｍは、第一の選択画像３４の選択維持を行いつつ、更に、第二の選択画像４４の選択を行わなければならないため、操作意識を一層高める必要があり、これにより、使用者Ｍによる誤操作を一層防止することができる。
【００３５】
以上、本発明をその実施形態に基づき具体的に説明したが、本発明は、上記実施形態に限定されるものではない。例えば、上記実施形態では、第一の選択画像３４と第二の選択画像４４との配置データとして一種類のデータを用いて表示を行っていたが、配置ＤＢ２４に図７（ａ）〜（ｄ）に示すような各種の配置データを予め格納させておき、表示制御部２２が、処理部２０において所定の情報処理が行われる度に、第一及び第二の選択画像３４，４４の表示画面上の配置箇所を、これら各種の配置データから選択した何れかの配置データとすることで、変更するようにしてもよい。この場合、使用者Ｍは、上述した情報処理の操作に慣れることができずに、第一の選択画像３４に対して所定の選択操作を行った後、ランダムに配置変更される第二の選択画像４４の表示箇所を探さなければならないため、操作意識を常に高めておかなければならなくなる。これにより、使用者Ｍによる誤操作を一層防止できる。しかも、情報処理装置１０は、タッチパネルディスプレイ１６を含んで構成されていることから、誤操作の防止に役立つこのようなランダムな配置を比較的、簡単な処理で実現することができる。
【００３６】
また、上記実施形態では、第一の選択画像３４を表示した後、第二の選択画像４４を表示するタイミングについては特に調整していなかったが、表示制御部２２が、処理部２０において所定の情報処理が行われる度に、第二の選択画像４４の表示タイミングを変更するようにしてもよい。この場合、第一の選択画像３４に対応する対応領域５４への入力を行った後から第二の選択画像４４が表示されるまでの時間が処理毎に変わるため、使用者Ｍは操作タイミングについて慣れることができず、これにより、使用者Ｍによる誤操作を一層防止することが可能である。しかも、情報処理装置１０は、タッチパネルディスプレイ１６を含んで構成されていることから、誤操作の防止に役立つ表示タイミングの変更を比較的、簡単な処理で実現することができる。また、上述した実施形態や変形例では、タッチパネルディスプレイ１６が縦長の場合で説明したが、タッチパネルディスプレイ１６が、図８に示されるように、横長の場合であっても、同様に適用することができる。タッチパネルディスプレイ１６が横長の場合、第一及び第二の選択画像３４，４４をより離して配置することができるので、誤操作を一層、防止することができる。
【００３７】
また、上記実施形態では、第１及び第２の選択画像３４，４４をそれぞれ１回ずつ表示させて確認するようにしていたが、例えば図９（ａ）に示されるように、第二の選択画像４４を最初に表示させ、この選択画像４４の「Ｙｅｓ」（４４ａ）が押し下げされたことが確認された場合に、第一の選択画像３４を表示させ（図９（ｂ）参照）、その後は上記実施形態と同様の処理を行うようにしてもよい（図９（ｃ）〜（ｅ）参照）。この場合、選択処理を更に行うことになるため、より一層、誤操作を防止することができる。また、第二の選択画像４４に対して二回目の選択を行う際（図９（ｄ）参照）、一回目に選択した指を一端、離してから再度、押し下げする必要があるため、使用者Ｍが当てずっぽうで二点を押したような場合であっても処理が実行されず、誤操作を防止できる。なお、図９（ｂ）〜（ｄ）で示される配置は、図６（ａ）〜（ｃ）で示される配置に対し、タッチパネルディスプレイ１６の中心を基準として点対称の配置構成となっている。
【００３８】
また、上述したように、選択回数の増減する場合、使用者Ｍが自分でその回数を設定したり、コンテンツ提供側がコンテンツ情報に埋め込んで選択回数を指定させたり、又は、コンテンツに含まれる文章内容を判別して選択回数を自動的に設定するようにしてもよい。また、上述した選択画像３４，４４には特に色をつけていなかったが、これらに色を付けて識別し易くして、誤操作を更に防止するようにしてもよい。
【符号の説明】
【００３９】
１０…情報処理装置、１２…表示画面、１４…タッチパネル、１６…タッチパネルディスプレイ、１８…検出部、２０…処理部、２２…表示制御部、２４…配置ＤＢ、３４…第一の選択画像、４４…第二の選択画像。
【図１】
2011191927.tif 000003
【図２】
2011191927.tif 000004
【図３】
2011191927.tif 000005
【図４】
2011191927.tif 000006
【図５】
2011191927.tif 000007
【図６】
2011191927.tif 000008
【図７】
2011191927.tif 000009
【図８】
2011191927.tif 000010
【図９】
2011191927.tif 000011